(57)【要約】【課題】     本発明の目的は、サポート板から左右対称性のある応力が圧電素板に加わることから、ひねりの力を軽減して、周波数が安定した圧電振動子の支持構造を提供することである。【解決手段】     上記の目的を達成するために、本発明は圧電素板が金属ベースを気密貫通する二本の金属端子に固定されたサポート板により支持される圧電振動子の支持構造において、先のサポート板の板厚外側面に接合材の注入口が設けられ、サポート板の圧電素板側の板厚内側面に、圧電素板に二点で当接する該注入口に中央で通じる凹形部を有することを特徴とする。【選択図】      図１
2005159967.tif 000002
【特許請求の範囲】
【請求項１】
圧電素板が金属ベースを気密貫通する二本の金属端子に固定されたサポート板により支持される圧電振動子の支持構造において、
該サポート板の板厚外側面に接合材の注入口が設けられ、該サポート板の該圧電素板側の板厚内側面に、該圧電素板に二点で当接する該注入口に中央で通じる凹形部を有することを特徴とする圧電振動子の支持構造。
【発明の詳細な説明】
【技術分野】
【０００１】
本発明は、二本の金属端子を有する圧電振動子における圧電素板の支持構造に関するものである。
【背景技術】
【０００２】
近年の急速な移動体通信市場の成長に伴い、通信機器の需要が飛躍的に増大してきた結果として、通信機器においてその基準となる周波数の発生源として用いられる圧電振動子は、周囲の使用環境がより過酷な環境条件での使用下においても規定された周波数出力の更なる安定な動作の確保が求められているのが現状である。
【０００３】
圧電振動子のなかでもＯＣＸＯ（Oven
Controlled Crystal Oscillator）に使用される高安定水晶振動子の水晶素版の保持構造には、大別して二つの種類がある。図３に示すような水晶素板とサポート板との接合材として半田などの金属を用いる板サポート保持構造の型と、図４に示すような水晶素板とサポート板との接合材に導電性接着剤を用いるスリットサポート板保持構造の型の二つである。
【０００４】
これらの高安定水晶振動子の重要な特性のひとつであるエージング特性を左右する要因のひとつに、水晶素板の保持具であるサポート板から水晶素板への応力があり、特にひねりの力がサポート板から水晶素板に加わった場合、その高安定水晶振動子の特性に大きな影響を及ぼすといった問題がある。
【０００５】
また、この形状を成す圧電振動子の製造時において、ウェルドの際にウェルド圧力が金属のベースを変形し、その変形に伴う応力が金属端子とサポート板を経て圧電振動子の内部に保持される圧電素板へと伝わり、その結果、規定の周波数が変化するおそれがあるという問題がある。
【０００６】
また、従来においては圧電素板と導電性接着剤を介して接合されるサポート板の形状が平坦な板状であるため、サポート板が平面で半田といった接合材により圧電素板と接続され、その結果、接合の位置や面積がばらつき、対向する左右の二箇所のサポート板から非対称の応力が生じて、ひねりの力がサポート板から圧電素板に加わり圧電素板に悪い影響を与えるといった問題がある。
【０００７】
【特許文献１】特願平７−２４０６５６号公報
【０００８】
なお、出願人は前記した先行技術文献情報で特定される先行技術文献以外には、本発明に関連する先行技術文献を、本件出願時までに発見するに至らなかった。
【発明の開示】
【発明が解決しようとする課題】
【０００９】
本発明は、以上のような技術的背景のもとでなされたものであり、従ってその目的は、サポートからの圧電素板に加わる応力を低減すると共に、かつ応力の対称性が得られ、またウェルド時においても圧電素板に加わるひねりの力などの応力を軽減して、周波数が安定した圧電振動子の支持構造を提供することである。
【課題を解決するための手段】
【００１０】
上記の目的を達成するために本発明は、圧電素板が金属ベースを気密貫通する二本の金属端子に固定されたサポート板により支持される圧電振動子の支持構造において、先のサポート板の板厚外側面に接合材の注入口が設けられ、サポート板の圧電素板側の板厚内側面に、圧電素板に二点で当接する注入口に中央で通じる凹形部を有することを特徴とする。
【発明の効果】
【００１１】
本発明による圧電振動子の支持構造を用いることにより、サポート板から圧電素板に加わる応力が対称性をもち、かつ圧電振動子の製造時のウェルド工程時に加えられる金属ベースへのウェルド圧力が金属ベースを変形させ、その変形に伴う応力が周波数の規定値を変化させてしまうといった問題を無くし、また圧電振動子の外部から加えられる耐振動性や耐衝撃性を高めて、圧電振動子が安定な周波数を維持することを可能とする。
【００１２】
また、本実施例の圧電振動子単体に限らず、本発明の圧電振動子を構成する圧電発振器においても、同様に先に述べたような周波数などの特性の変化を著しく軽減するという効果が得られ、その結果、圧電発振器の製造歩留まりの改善を実現することが出来る。
【００１３】
また、圧電素板の対向する二箇所の支持部について、同じように接合材が収まるために圧電素板に加わるサポート板からの応力が、対向する二箇所の圧電素板の支持部について一定方向と成り、特にサポート板から圧電素板に加わるひねりの力を抑制して、その結果、本発明のサポート板を使用した高安定圧電振動子のエージング特性の変動を小さくして、また複数の圧電振動子間のエージング特性のばらつきも小さくなる効果を奏する。
【発明を実施するための最良の形態】
【００１４】
以下、添付の図面に従がってこの発明の実施例を説明する。なお各図においての同一の符号は同じ対象を示すものとする。
【実施例１】
【００１５】
図１は本発明の圧電振動子５の支持構造であるサポート板４の概略の側面図、及び概略の正面図１と正面図２である。正面図２のサポート板４の場合、サポート板４の圧電素板１側の凹形部９幅はサポート板４の全幅より狭く成っている。これらの図は圧電素板１を保持する対向する二箇所の圧電素板の支持部分について片側の一方を部分的に示している。本発明のサポート板４では圧電素板１とサポート板４を接合させる接合材６が充填される凹形部９と、この凹形部９にペースト状の接合材６を注入する注入口７を有する。本発明のサポート板４の圧電素板１側の凹形部９は少なくとも注入口７長の大きさで、注入される接合材６には導電性接着剤１２やAu-Snペーストなどが用いられる。サポート板４の材質にはピュアニッケルなどが用いられる。
【００１６】
図２は本発明の圧電振動子１の支持構造であるサポート板４を用い、導電性接着剤１２を介して水晶素板１を保持する様子を示す水晶素板１の主面方向からみた概略の図と、その側面模式図である。本発明の支持構造であるサポート板４により、注入口７から一定量の導電性接着剤１２といったペーストをディスペンサーなどを用いて注入し固化させた場合、水晶素板１とサポート板４の導電性接着剤１２による接合面は、圧電素板１の側面に当接する凹形部９内に導電性接着剤１２が収まるために一定の面積、位置、厚さとなる。また、圧電素板１である水晶素板１の左右対向する二箇所の圧電素板の支持部について、同じように圧電素板１の側面に当接する凹形部９内に導電性接着剤１２が収まるために水晶素板に加わるサポート板からの応力が、対向する二箇所の圧電素板の支持部について一定方向と成り、特にサポート板４から水晶素板１に加わるひねりの力を抑制して、その結果、本発明のサポート板４を使用した高安定水晶振動子のエージング特性の変動を小さくして、また複数の水晶振動子のエージング特性のばらつきも小さくなる効果を奏する。
【００１７】
図３は従来の板サポートを用いて水晶素板１を保持する様子を示す水晶素板１の主面方向からみた概略の図である。
【００１８】
図４は従来のスリットサポート板を用いて水晶素板１を保持する様子を示す水晶素板１の主面方向からみた概略の図である。
【００１９】
図５は従来のスリットサポート板を用いて導電性接着剤１２を介して水晶素板１を保持する様子を示す水晶素板１の側面方向からみた概略の図である。図３や図４に示されるような従来のサポート板４では、水晶素板１とサポート板４の接合面は一定の面積、位置、厚さと成らなかった。
【図面の簡単な説明】
【００２０】
【図１】本発明の圧電振動子の支持構造であるサポート板の概略の側面図、及び概略の正面図１と正面図２である。正面図２のサポート板の場合、サポート板の圧電素板側の凹形部幅はサポート板の全幅より狭く成っている。
【図２】本発明の圧電振動子の支持構造であるサポート板を用い、導電性接着剤を介して水晶素板を保持する様子を示す水晶素板の主面方向からみた概略の模式図と、その側面模式図である。
【図３】従来の板サポート板を用いて水晶素板を保持する様子を示す水晶素板の主面方向からみた概略の図である。
【図４】従来のスリットサポート板を用いて水晶素板を保持する様子を示す水晶素板の主面方向からみた概略の図である。
【図５】従来のスリットサポート板を用いて導電性接着剤を介して水晶素板を保持する様子を示す水晶素板の側面方向からみた概略の図である。
【符号の説明】
【００２１】
１  圧電素板
２  金属ベース
３  金属端子
４  サポート板
５  圧電振動子
６  接合材
７  注入口
８  注入口長
９  凹形部
１０  電極
１１  半田
１２  導電性接着剤
１３  スリット
【図１】
2005159967.tif 000003
【図２】
2005159967.tif 000004
【図３】
2005159967.tif 000005
【図４】
2005159967.tif 000006
【図５】
2005159967.tif 000007